(57)【要約】【課題】  取扱説明書は分厚くなりかさばってしまうことを解決することを課題とする。【解決手段】  表示装置と、電源、記憶部、前記表示装置に接続可能な接続部、前記表示装置が接続されたことを検出する検出部、前記表示装置へ信号を送受信可能な送受信部とを具えた前記装置と、前記表示装置が前記装置に接続されたことを前記検出部が検出すると前記記憶部に保持されていた情報が前記表示装置へ送信されて、受信した情報が前記表示部に表示され、前記情報は前記装置の取り扱い方法および前記装置に関する情報であり、接続すると前記情報が前記表示装置へ自動的に送信され、前記表示部に表示された前記情報は、前記入力部を介して操作可能な指示部を含み、前記入力検出部、前記制御部を介して情報の選択、切り換え、検索が可能であることを特徴とする情報システム。【選択図】  図１
2005115462.tif 000002
【特許請求の範囲】
【請求項１】
表示部、入力部、入力検出部、制御部、電源、複数の装置に接続可能な接続部、前記複数の装置へ信号を送受信可能な送受信部  とを具えた表示装置と、
電源、記憶部、前記表示装置に接続可能な接続部、前記表示装置が接続されたことを検出する検出部、前記表示装置へ信号を送受信可能な送受信部  とを具えた前記装置と、
前記表示装置が前記装置に接続されたことを前記検出部が検出すると前記記憶部に保持されていた情報が前記表示装置へ送信されて、受信した情報が前記表示部に表示され、
前記情報は前記装置の取り扱い方法および前記装置に関する情報であり、
接続すると前記情報が前記表示装置へ自動的に送信され、前記表示部に表示された前記情報は、前記入力部を介して操作可能な指示部を含み、前記入力検出部、前記制御部を介して情報の選択、切り換え、検索が可能であることを特徴とする情報システム。
【請求項２】
前記記憶部から受信した前記情報は文字以外の画像情報が付加されており、
使用者が前記入力部を介して前記指示部を操作すると前記画像情報を前記表示部に表示可能であり、
使用者が前記装置を操作する前に操作内容をあらかじめ前記表示部で確認できることを特徴とする請求項１記載の情報システム。
【請求項３】
使用者の動作、操作にともなう前記装置の状態の変化を検出する検出手段を具え、
前記検出手段が検出した結果に応じて、前記表示装置に表示する前記画像情報を切り換えることを特徴とする請求項１又は２記載の情報システム。
【請求項４】
使用者は入力手段により前記入力部へ文字、画像の入力が可能であり、
前記表示装置もしくは前記装置いずれかに、使用者が前記入力手段によって前記入力部に入力した複数の単語、画像を認識する情報認識部を具え、
前記情報認識部によって認識した結果を前記記憶部から引き出して前記表示部に表示することを特徴とする請求項１乃至３のいずれか１項に記載の情報システム。
【請求項５】
前記表示装置が前記装置に接続されたことを検出すると前記装置の前記送信部から前記接続部を介して前記表示装置の前記受信部へ信号を送信し、
前記信号は前記表示装置を駆動する電源を切り換える電源切り換え信号もしくは前記装置の前記記憶部に保持された情報であって、
前記信号が前記電源切り換え信号であるときは、前記表示装置に具えられた電源切り換え部により前記表示装置を駆動する電源を切り換えた後に、前記記憶部に保持された情報が前記表示部に表示され、
前記信号が前記記憶部に保持されていた情報であるときは、前記表示装置の前記表示部に前記情報を表示することを特徴とする請求項１乃至４のいずれか１項に記載の情報システム。
【請求項６】
前記装置のうち一次もしくは二次電池以外の電源で駆動されるものは、前記表示装置が接続されたことを検出すると前記電源切り換え信号を前記表示装置へ送信することを特徴とする請求項１乃至５のいずれか１項に記載の情報システム。
【請求項７】
前記装置のうち前記一次もしくは二次電池で駆動されるものは前記一次もしくは二次電池の残量を検出する残量検出手段を具え、
前記一次電池もしくは二次電池で駆動されているときに前記表示装置が接続されたことを検出すると
前記電池の残量があるレベル以上のときは前記表示装置の前記電源切り換え部に前記電源切り換え信号を送信し、前記表示装置を前記一次もしくは二次電池で駆動し、
前記電池の残量があるレベル以下のときは前記表示装置の前記電源切り換え部には前記電源切り換え信号を送信せず、前記記憶部の情報を前記表示装置へ送信することを特徴とする請求項１乃至６のいずれか１項に記載の情報システム。
【請求項８】
前記表示装置を前記装置に接続したときに、前記電池の残量があるレベル以上であって、前記表示装置が前記一次もしくは二次電池で駆動されている間も前記残量検出手段は前記一次もしくは二次電池の残量を検出しており、
前記電池の残量があるレベル以下に到達すると前記表示装置の前記電源切り換え部に電源切り換え信号を送信し、前記表示装置を駆動する電源を前記一次もしくは二次電池から前記表示装置に具えられている電源に切り換えることを特徴とする請求項１乃至７のいずれか１項に記載の情報システム。
【発明の詳細な説明】
【技術分野】
【０００１】
本発明は、製品の取り扱いをより容易にするガイド・ヘルプ機能と、複数の製品に共通化可能な表示装置に関する。
【背景技術】
【０００２】
あらゆる製品には紙の取扱説明書が同梱されており、購入したユーザーは製品を設置するときや使用方法が分からないときに、取扱説明書を参照する。また、ディスプレイを有する製品では操作が分からないとき、キーワードを入力すること等によりヘルプ情報をディスプレイに表示させて参照することも可能である。
【０００３】
しかし、機能が多くなるほど取扱説明書は分厚くなりかさばってしまう。ユーザーは重い取扱説明書を片手で持ちページをめくりながら片手で製品を操作しなければならず視線の移動も要求されるためユーザーに負担がかかっていた。
【０００４】
製品によっては分厚い取扱説明書を複数冊存在する場合もあり、ユーザーは知りたい内容によって複数の取扱説明書から情報を探さなければならず検索に時間を要するという問題もあった。
【０００５】
また異なる製品、例えばデジタルカメラ、プリンタ、ビデオ等を購入するごとに取扱説明書が増えてしまい、保管場所に困ったり、紛失してしまったり、保管場所を探すのに手間取り見たいときにすぐ見られないという問題があった。その結果、製品を使うのを敬遠がちになり、製品の機能をじゅうぶんに引き出してもらえないという状況を招いてしまった。
【０００６】
ディスプレイを有する製品ではディスプレイにヘルプ情報を表示可能なものもあるが、ディスプレイが小さい場合は表示される内容が小さいため認識しにくく、特にお年寄りには辛いものとなっていた。また、ヘルプ情報でディスプレイを占有してしまうと本来表示されるものが見られなくなってしまうという問題もあった。
【０００７】
紙の取扱説明書の保管場所を課題の一つにあげて、装置関連データ管理システム内に複数の製品の取扱説明書に関するデータを保存しておき、家庭内の複数の製品と接続しておくものが提案されている（例えば、特許文献１参照）。
【特許文献１】特開２００２−９１６４７号公報
【発明の開示】
【発明が解決しようとする課題】
【０００８】
しかし製品の取扱説明書に関するデータはＣＤ−ＲＯＭ化されておりユーザーはこのデータを保存部に保存する作業が必要であり面倒で、特にお年寄りにとってはこの作業自体が簡単とはいえない。また表示装置は家庭内のテレビ画面を使用することを想定しているがこのシステムを使用しているときはテレビ番組を見ることができない。また使用したい製品とテレビが近くにあると限らないので取扱説明を見ながら製品を操作することができないという欠点もある。
【０００９】
特開２００１−３３１４９９では各メーカの製品の取扱説明書が電子化されて登録されたデータベースからユーザーが検索、閲覧するシステムが提案されている。しかし取扱説明を見たいときには必ずネットワークに接続する必要があり、料金が必要になったりネットワークの速度によっては閲覧にストレスを感じてしまうという問題点がある。パソコンや周辺機器に関して調べたいことはパソコンをネットワークに接続して閲覧できるが、パソコンの存在が必須となってしまう。また、見たいときにすぐ見られない、という問題は解決できない。データベースからネットワーク経由でデータを１度ダウンロードすればその後はネットワークに接続しなくてもユーザー側のパソコンで閲覧することは可能であるが複数の製品の取扱説明に関するデータを保持するには多大なメモリーを必要とする。調べたい製品がパソコンの近くに設置されているとは限らないので検索した結果を見ながら製品を操作することができない。またお年寄りにとってはこのような端末（パソコン）で閲覧すること自体に抵抗を感じてしまうという問題もある。メーカにとってはデータ管理のコスト面におけるメリットがあるがすべてのユーザーにとって必ずしもメリットがあるとは言い切れない。
【００１０】
パソコン等に見られるキーワード検索によるヘルプ機能はもともと製品のメモリー等に格納されている単語、文章の中からユーザーが必要と思われるものを探していくが、ユーザーが思い描いている言葉が必ずしも登録されているとは限らず、検索性には改善の余地がある。
【００１１】
ヘルプ情報には例ではなく、実際に操作を行なった場合の結果をあらかじめ確認できる、いわゆるプレビュー機能はなく、練習なしでいきなり本番の操作をすることとなり、ユーザーが本当に望んだ結果が得られるのか事前に知ることができないという問題もあった。
【課題を解決するための手段】
【００１２】
上記課題を解決するために、表示部、入力部、入力検出部、制御部、電源、複数の装置に接続可能な接続部、前記複数の装置へ信号を送受信可能な送受信部とを具えた表示装置と、電源、記憶部、前記表示装置に接続可能な接続部、前記表示装置が接続されたことを検出する検出部、前記表示装置へ信号を送受信可能な送受信部とを具えた前記装置と、前記表示装置が前記装置に接続されたことを前記検出部が検出すると前記記憶部に保持されていた情報が前記表示装置へ送信されて、受信した情報が前記表示部に表示され、前記情報は前記装置の取り扱い方法および前記装置に関する情報であり、接続すると前記情報が前記表示装置へ自動的に送信され、前記表示部に表示された前記情報は、前記入力部を介して操作可能な指示部を含み、前記入力検出部、前記制御部を介して情報の選択、切り換え、検索が可能であることを特徴とする情報システムを提供する。
【発明の効果】
【００１３】
製品のメモリーに各種情報を保持する構成としたので、紙の取扱説明書が不要となり操作性が良くなり、保管場所に困ったり、紛失したり、保管場所を探すのに手間取ることがなくなる。
【００１４】
ヘルプ表示端末の画面を大きくできるので、お年寄りにも表示される内容が見やすい。
【００１５】
各種情報がヘルプ表示端末に表示されるので製品自体のディスプレイが占有されることなく本来表示されるものを見ることができる。
【００１６】
使用者に複雑な操作を要求せずヘルプ表示端末を製品に接続するだけでデータが表示されるのでお年寄りにも簡単に操作でき、見たいときにすぐ見ることができる。
【００１７】
また、ヘルプ表示端末と製品が直接接続されるので取扱説明等に関する情報を見ながら製品を操作することができる。
【００１８】
使用者が検索結果を文字以外の画像で確認できるので、使用者が本当に望んだ結果が得られたのか操作前に知ることができる。
【００１９】
使用者の動作、装置の状態変化にヘルプ表示端末の表示内容が同期するので検索結果に対して誤操作を招くことがない。
【００２０】
使用者が入力した文章を認識できるので使用者が製品に関する用語を知らなくてもユーザー自身の言い回し、表現を入力することにより正確な検索を短時間で行なうことができる。
【００２１】
ヘルプ表示端末が電池で駆動される場合、接続する製品の電源の種類によって、どちらの電源でヘルプ表示端末を駆動するか選択可能にしたのでヘルプ表示端末の電池の消耗を抑えて有効に使うことができる。
【００２２】
また一次もしくは二次電池で駆動される製品と接続された場合、製品の電池残量に応じてどちらの電源で駆動するかを決定するのでヘルプ表示端末を駆動したことが原因で製品の電池がなくなることを防ぎ、相互の電池を有効に使うことができる。
【発明を実施するための最良の形態】
【００２３】
以下の実施例に具体的に説明する。
【実施例１】
【００２４】
図１はヘルプ表示端末１を示すものである。
【００２５】
本実施例ではヘルプ表示端末の表示部１ａを液晶パネルとし、表示面には抵抗膜方式のタッチパネル（入力部）が具えられている。表示部は液晶以外にＥＬパネルやその他の表示デバイスでも良い。２はプラスチックでペンの形に成形された入力用のスタイラスであり、表示部１ａを触れることにより入力が可能となっている。側面に形成された穴部３はスタイラス２を保持する部分である。なお入力手段は抵抗膜方式に限らず指、スタイラス２のような専用入力具等で指示した座標を検出可能な方式であればよい。公知の技術である電磁誘導方式、空中超音波方式、静電容量方式等を採用することも可能である。
【００２６】
ヘルプ表示端末１の底部にはコンピュータと周辺機器を接続するときに用いるのと同様なピンで係合するコネクタ４を具えており、様々な製品と接続可能に構成されておりコネクタ４を介して製品のメモリーに格納された各種情報をヘルプ情報端末１で受信する。このコネクタ４は様々な製品に接続可能なインターフェースとなっている。５は凸部、６はヘルプ表示端末の電源スイッチであり詳細は後述する。
【００２７】
様々な製品とは、複写機、プリンタ、デジタルカメラ、ファクシミリ、ビデオデッキ、洗濯機等といったあらゆる電気製品のことをさし、内部に記憶手段を有するものであれば特に制約はない。
【００２８】
ヘルプ表示端末１には電源を具えておりデジタルカメラやビデオカメラのように電池を電源とする製品に接続される場合、製品の電池の消耗を防ぐためにヘルプ表示端末１自身の電源で駆動する構成となっている。
【００２９】
ヘルプ表示端末１の電源は一次電池、二次電池、ＡＣアダプタ等いずれでも良い。本実施例では一次電池もしくは二次電池とする。
【００３０】
ヘルプ表示端末１を各種製品に接続すると電源スイッチ６が製品に当接し押下されるような位置関係になっている。この電源スイッチ６は不図示の付勢手段でオフ方向に付勢されているため製品から取り外すとヘルプ表示端末１の電源は自動的にオフになるように構成されている。
【００３１】
図１２はヘルプ表示端末１を製品に接続してから検索を開始するまでの流れを示すフローチャート、図１３はヘルプ表示端末１と各種製品のブロック図である。ブロック図の製品部分はヘルプ表示端末１と関連するところだけを抜き出して示している。
【００３２】
まず製品の電源が入っている場合の流れを説明する。
【００３３】
ヘルプ表示端末１を製品に接続すると電源スイッチ６が押下されヘルプ表示端末１が表示可能な状態になる（図１２のＳ１）。製品側にマイクロスイッチ、ヘルプ表示端末側１には接続したときにマイクロスイッチと対向する位置に配置された凸部５により、マイクロスイッチを押下するように構成されている。凸部５がマイクロスイッチを押下すると製品の制御部（図１３のＢ１３）に具えられた認識手段によってヘルプ表示端末１が接続されたことを認識する。すなわちマイクロスイッチが製品側に配置されたヘルプ表示端末１の検出部（図１３のＢ１２）となっている。
【００３４】
他には製品本体側に光学センサ、ヘルプ表示端末側には接続したときに光学センサと対向する位置に遮光部を設けて接続すると遮光部が光学センサを遮断する構成でも良い。
【００３５】
製品の検出部（図１３のＢ１２）は完全に共通化されているのが望ましいが、信号のやり取りが可能な限りは製品側で若干異なる構成にしても良い。例えば複写機では光学センサ、デジタルカメラではマイクロスイッチとし、ヘルプ表示端末１を複写機に接続するとヘルプ表示端末の凸部５が光学センサを遮ることにより検出され、デジタルカメラに接続すると同じく凸部５がマイクロスイッチを押下することにより検出される。
【００３６】
このように１つのヘルプ表示端末ですべての製品に対応することが可能となっている。また異なるメーカの製品においてもこの検出部をヘルプ表示端末に対して接続可能に構成すれば１つのヘルプ表示端末で複数の異なるメーカ間の製品に対応することも可能である。
【００３７】
ヘルプ表示端末１が接続されたことを検出するのはコネクタ４のうちの１ピン利用する方法でも良い。接続するとヘルプ表示端末１の送信部（図１３のＢ５）から製品の受信部（図１３のＢ１１）にヘルプ表示端末１であることを示す信号を送信し、製品の制御部（図１３のＢ１３）に具えられた認識手段によってヘルプ表示端末１が接続されたことを確認する構成である。
【００３８】
例えば双方向通信が可能なインターフェース（例えばＩＥＥＥ１３９４のようなもの）を利用する方式である。この場合はその１ピンが検出部（Ｂ１２）となる。
【００３９】
この方式においても異なるメーカの製品間でコネクタ、送信信号等を共通化すれば異なるメーカの複数の製品にヘルプ表示端末が接続可能となる。
【００４０】
接続されたのがヘルプ表示端末であることを認識すると（図１２のＳ２）、電源を切り換えるか判断するステップに進む。
【００４１】
ヘルプ表示端末１には電源切り換え部（図１３のＢ６）を具え、接続する製品によって製品側から電源を得るか、自身の電源を使用するか切り換え可能に構成されている。ヘルプ表示端末１を接続してから製品側の電源の種類（ＡＣ電源か電池か）および製品に電源が入っているかどうか認識するまではヘルプ表示端末１自身の電源で表示を行なう。
【００４２】
その後、どちらの電源によって表示をするかはあらかじめ製品の種類によって設定されている。ＡＣ電源の製品に接続されると電源を製品側に切り換えて製品からヘルプ表示端末１へ電力を供給する。
【００４３】
また主に電池で駆動する製品の中にはＡＣアダプタを接続して使えるものが存在するが、ＡＣアダプタを電源として駆動しているときは製品側の電源に切り換えてヘルプ表示端末１を駆動する構成になっている。
【００４４】
ヘルプ表示端末１がＡＣ電源の製品からもしくはＡＣアダプタが接続された製品に接続されている場合は製品の送信部（図１３のＢ１０）から電源切り換え信号を送信しヘルプ表示端末１の受信部（図１３のＢ４）で受信すると（図１２のＳ３〜Ｓ４）、制御部（Ｂ８）を介し電源切り換え部（Ｂ６）により製品側の電源に切り換える（図１２のＳ５）。その後、製品のメモリー（Ｂ９）に格納されている各種情報が制御部（Ｂ１３）、送信部（Ｂ１０）を経由して受信部（Ｂ４）へ送られて制御部（Ｂ１３）を介してヘルプ表示端末１に初期画面が表示される（図１２のＳ６→Ｓ１１）。
【００４５】
ヘルプ表示端末１が電池駆動の製品に接続された場合は製品からは電源切り換え信号ではなくメモリー（Ｂ９）に格納されている各種情報が制御部（Ｂ１３）を介して送信部（Ｂ１０）から受信部（Ｂ４）へ送られるのでヘルプ表示端末１は自身の電源による駆動を維持し、受信部（Ｂ４）、制御部（Ｂ８）を経由してヘルプ表示端末１に初期画面が表示される（図１２のＳ４→Ｓ６→Ｓ１１）。
【００４６】
製品のメモリーの形態に特に制約はない。各製品ごとに異なっても問題はない。製品内部に固定された内蔵メモリーでも良いし、ＤＶＤ、ＣＤ−ＲＯＭ、メモリースティック等を採用し、ユーザーが交換可能に構成しても良い。取扱説明や各種情報にバージョンアップが多いかどうか、製品の大きさ、データ量等に応じて適切な形態を選択すればよい。
【００４７】
以上のように構成されているので電池駆動の製品に接続した場合は製品側の電池の消耗を防ぐことができる。
【００４８】
また本実施例のようにヘルプ表示端末１を自身が具える電池で駆動する場合は、ＡＣ電源の製品に接続されたときは電池の消耗をおさえることができ、電池駆動の製品に接続されたときのためにその電力を有効に活用できるのである。
【００４９】
ユーザーはヘルプ表示端末１を製品に取り付けるだけで、特別な操作をしなくても製品のメモリーに格納されている各種情報をヘルプ表示端末１の画面上で確認することができる。
【００５０】
ヘルプ表示端末１を製品に接続したままにしておけば取扱説明書代わりとしての一時的な使用にとどまらずあらゆる製品の制御装置として常時使うことも可能である。
【００５１】
常時接続されることも考えてヘルプ表示端末１の表示は制御される。ヘルプ表示端末１を製品に接続し初期画面が表示されて（図１２のＳ１１）から所定時間経過してもユーザーがヘルプ表示端末１に何も入力しなかった（画面に触れなかった）場合、画面を非表示の状態にする（図１２のＳ１２→Ｓ１３）。非表示の状態になってからさらに所定時間経過してもユーザーが何も入力しなかった（画面に触れなかった）場合、ヘルプ表示端末の電源をオフにする（図１２のＳ１４→Ｓ１５）。このときヘルプ表示端末１が製品側から電力を供給されていた場合は供給を停止する。
【００５２】
このように制御されているので接続したまま放置しても電力を消費することはない。この状態になってからヘルプ表示端末１を使用したい場合は一度、製品から取り外して再度接続しなおせば良い。
【００５３】
初期画面表示（図１２のＳ１１）から所定時間内に入力があった場合（Ｓ１２）、画面を表示の状態に戻し、その入力にもとづいて検索を開始する（Ｓ１６）。
【００５４】
検索開始（Ｓ１６）後、検索結果を表示しているときに所定時間経過してもユーザーがヘルプ表示端末１に何も入力しなかった（画面に触れなかった）場合、画面を非表示の状態にする。非表示の状態になってからさらに所定時間経過してもユーザーが何も入力しなかった（画面に触れなかった）場合、ヘルプ表示端末の電源をオフにする。このときヘルプ表示端末１が製品側から電力を供給されていた場合は供給を停止する。図１２のＳ１６以降のステップはＳ１２〜Ｓ１５と同様なので省略する。
【００５５】
次に製品の電源が入っていない場合の流れを説明する。
【００５６】
製品に接続するとヘルプ表示端末１の電源スイッチ６が押下されるとともに（図１２のＳ１）、製品側の検出部（図１３のＢ１２）、制御部（Ｂ１３）によりヘルプ表示端末１を検出する（Ｓ２）。ＡＣ電源、電池駆動いずれの製品においても製品側から電池の電源切り換え信号もしくは各種情報を所定時間受信しなかった場合は製品の電源が入っていないと判断し、ヘルプ表示端末の表示画面に「製品の電源が入っていません」等のメッセージを表示する（Ｓ３→Ｓ７）。このメッセージを表示開始してから所定時間経過しても製品の電源がオフのままでヘルプ表示端末１が何の信号も受信しない場合は非表示にする（Ｓ８、Ｓ９）。
【００５７】
メッセージを表示開始してから所定時間内に製品の電源を入れられると製品側から送信された情報に応じて電源を選択する（Ｓ８→Ｓ４）。
【００５８】
画面が非表示になってから所定時間内に製品の電源を入れられると画面を表示の状態に戻し、製品側から送信された情報に応じて電源を選択する（Ｓ９→Ｓ１０→Ｓ４）。
【００５９】
画面が非表示になってから所定時間経過しても製品の電源がオフのままでヘルプ表示端末１が何の信号も受信しない場合はヘルプ表示端末の電源をオフにする（Ｓ１０→Ｓ１７）。
【００６０】
ヘルプ表示端末１を複写機に接続した例を説明する。
【００６１】
ヘルプ表示端末１であることを認識すると、複写機はＡＣ電源なので複写機からヘルプ表示端末１へ電源切り換え信号を送信する。ヘルプ表示端末１でこの信号を受信すると（Ｓ４）、複写機側の電源に切り換えて（Ｓ５）、複写機のメモリーに格納されている各種情報が送られて（Ｓ６）、初期画面が表示される（Ｓ１１）。
【００６２】
図２で７は複写機である。操作パネル８の左側には信号送信部、およびヘルプ表示端末１の電源供給部として具えられたコネクタ９と検出部（図１３のＢ１２）として具えられた光学センサ１０が配置されている。
【００６３】
先に述べたコネクタのうちの１ピンをヘルプ表示端末１の検出に使用する構成の場合は光学センサ１０は不要である。
【００６４】
図３はヘルプ表示端末１を接続した状態であり、複写機７の操作パネル８を遮らず、原稿のセット等の動作に影響しない位置に取り付けられる。
【００６５】
ヘルプ表示端末１はその背面、もしくは複写機７に備えられた不図示の支持手段によりコネクタ部分に負荷がかからないように固定されるためユーザーは手で支えなくても操作できるようになっている。
【００６６】
表示される内容は取扱説明や操作ガイド、ヘルプ情報に関するものである。
【００６７】
図４のように最初に「マニュアル」、「操作ガイド・ヘルプ」、「履歴呼出」のアイコン１１、１２、１３が表示される。「履歴呼出」アイコン１３の説明は後述する。
【００６８】
取扱説明に関する情報を見たいときは「マニュアル」アイコン１１を指もしくは付属のスタイラスで触れて選択する。
【００６９】
ユーザーが入力部（図１３のＢ１）、すなわち画面上のアイコンを触れたことを入力検出部（Ｂ２）が検出すると制御部（Ｂ８）、送信部（Ｂ５）を経由して製品へ次の情報を要求する信号が伝達される。次の情報が複写機のメモリー（Ｂ９）から制御部（Ｂ１３）、送信部（Ｂ１０）を経由して送られて画面が図５のようにマニュアル情報に切り替わる。表示される内容は従来、紙で製本されていた取扱説明書がＰＤＦのような電子データとなったものでも良いし、その他の形式のものでも良い。
【００７０】
この取扱説明に関する情報はスクロール等の操作によって見たい情報をユーザー自身で探すことができる。画面右端のスクロールバー１４をスタイラスもしくは指でドラッグしてスクロールしても良いし、「戻る」、「進む」のアイコン１５、１６に触れることによって行なっても良いし、複写機本体の操作パネルを操作することでも行なうことができる構成となっている。例えば情報が製本されていた取扱説明書のようにページ番号がつけられている場合、複写機７の操作パネル８のテンキーで「５」「０」と入力すれば５０ページへジャンプする構成である。
【００７１】
ヘルプ表示端末１の画面は複写機７に搭載されている液晶画面７ａより大きいため見やすく、表示できる情報量が多いので従来の紙で製本された取扱説明書と同じ感覚で調べることが可能である。
【００７２】
ユーザーがある操作方法、機能について調べたい場合、また操作を誘導してもらいたい場合は図４の画面で「操作ガイド・ヘルプ」アイコン１２をタッチする。調べる際は該当するアイコンを触れてじょじょに下の階層へ進んで知りたい情報に到達することもできるし、スタイラスで画面上にキーワードを入力して検索しても良い。複写機本体のメモリーに格納されている情報はキーワード検索で引き出すことができるような形式となっている。
【００７３】
図４の「マニュアル」アイコン１１、「操作ガイド・ヘルプ」アイコン１２いずれかを検索して所望の機能を説明、解説する表示画面にたどり着くと操作アイコンが表示されており、操作アイコンを触れると入力検出部（図１３のＢ２）、制御部（Ｂ８）、送信部（Ｂ５）、受信部（Ｂ１１）を経由して複写機の制御部（Ｂ１３）に信号を伝達可能に構成されており操作アイコンを触れると実際に動作させることが可能である。
【００７４】
例えば「両面コピー」に関して検索した結果、図６のような画面が表示される。
【００７５】
機能や操作方法の解説が表示されると共に「片面→両面」、「両面→両面」、「両面→片面」、「両面連写」の各アイコン１７〜２０が表示されている。表示されたアイコンが操作キーの役割を持っているのでアイコンを触れると複写機の制御部（Ｂ１３）に信号が伝達されてその動作が実行される。操作を行なうにあたってユーザーに複数のキー操作が要求される場合は、各ガイド画面上の操作アイコンをユーザーが触れたことを検出すると次の動作のガイド画面にうつりその操作アイコンが表示される、という構成である。
【００７６】
複写機本体のメモリー（Ｂ９）内には様々な機能に関する画像情報が格納されている。以下にこの画像情報の使い方について説明する。
【００７７】
図６に示すように画面の上部には機能の説明、解説が表示され、下部には「プレビュー」のアイコン２１〜２４が表示される。
【００７８】
「プレビュー」アイコン２１〜２４を触れるとその情報が一連の画像で表示されるものであり、検索した結果が自分の要求しているものと一致しているかどうか不安な場合や画面に表示された説明、解説を見ても操作方法が理解できない場合、間違えやすい操作が必要な場合や機械の操作に慣れていないお年寄りのために有効である。
【００７９】
検索した結果を自分で操作する前に「プレビュー」で確認することにより誤解や思い込みによる誤操作を防ぐことができるとともに、操作方法をよく理解することができる。
【００８０】
「プレビュー」の画像は静止画を複数枚集めて連続的に切り換えても良いし動画情報でもよい。ヘルプ表示端末１で表示可能であり後述するユーザーの操作（動作）と同期可能であれば、カラー、白黒、静止画の枚数、動画の時間、静止画、動画の画像解像度等は、各製品のメモリー容量の都合に応じて決めればよい。記憶容量の大きいメモリーを使用すれば、画像情報をより多く記憶させておくことが可能になるので、よりきめ細かいヘルプ情報を提供可能となり紙の取扱説明書では充分に説明しきれなかったところまで対応できる。
【００８１】
異なる製品間で直接情報をやりとりするわけではないのでヘルプ表示端末１で表示できる形式であれば必ずしも異なる製品間で画像情報のフォーマットを統一する必要はない。画像情報だけでなく取扱説明等のフォーマットもヘルプ表示端末１で検索できて、表示されるアイコンで製品を制御することができれば必ずしも統一する必要はない。
【００８２】
本実施例では複写機７のメモリーには動画情報が格納されている。
【００８３】
先に説明した両面コピーでは図６のように「プレビュー」アイコン２１〜２４が配置されている。「片面→両面」アイコン１７の下の「プレビュー」アイコン２１を触れると「片面→両面」の操作方法を説明する動画情報が複写機のメモリーから画面に送られ表示される。その他３つの「プレビュー」アイコン２２〜２４に関しても同様に、その上に配置されている操作アイコン１８〜２０の動画情報を引き出すことが可能である。動画情報の内容は使用者が複写機を使用している様子であり、原稿の向き、セット方法、カセットの選択方法、出力結果等要所が分かるように構成されており繰り返し再生される。
【００８４】
プレビューの画像を表示中も画面中には操作アイコン１７〜２０が表示されており、複写機を操作することは可能である。例えばユーザーが「片面→両面」アイコン１７を触れて原稿をセットしたことを複写機が検出すると、それに応じてヘルプ表示端末を制御する手段がプレビュー画像の内容を切り換える構成になっている。ユーザーが原稿をセットしたことを検出するとそこまでのプレビュー表示は省略され、それ以降の画像情報が繰り返し表示される。ユーザーの操作（動作）とプレビュー表示の内容が同期できるように構成されているのである。言い換えればユーザーが正しい操作をしない限り画像情報は切り換わらないので誤操作をまねくことがない。
【００８５】
画像情報で詳細に操作方法を確認することができるので、今までは実際に操作してみないとわからないこと、ある程度経験のある人が考えないと分からないようなことを事前に理解して安心して操作することが可能である。したがって原稿の向きを間違えてコピーを失敗し紙ゴミを発生させる、ということを防ぐことができる。
【００８６】
一度ヘルプ表示端末１で確認して操作しても覚えにくい複雑な操作や次に使うときにもヘルプ表示端末で確認する可能性が高い操作はヘルプ表示端末１から製品のメモリーの書き込み可能な領域に履歴として記憶させておく構成をとることもできる。例えばユーザーが知りたい情報にたどり着いたときに図６のように画面に表示された「履歴登録」というアイコン２５を触れると製品のメモリーの書き込み可能な領域に、今回調べた情報、日時等が記憶される。
【００８７】
また、ヘルプ表示端末には図４の初期画面から図６の画面においても常に「履歴呼出」アイコン１３が表示されていて、記憶させた履歴を確認したいときに触れると図７のように履歴一覧が表示される。その中からユーザーが見たいものをスタイラスもしくは指で触れて選択するとその情報を表示する画面に切り換わる構成となっている。
【００８８】
図７ではスタイラスでＡＡＡＡという機能に関する部分を触れた状態を示している。この直後にＡＡＡＡに関する情報を表示する画面に切り換わる。
【００８９】
このヘルプ表示端末を別の製品に接続したときの例を説明する。
【００９０】
図８はインクジェットプリンタ２６を示すものである。中央部の開閉可能なカバー２７の左側に複写機と同様、信号送受信部として具えられたコネクタ２８と検出部として具えられた光学センサ２９を有する。
【００９１】
先に述べたコネクタのうちの１ピンをヘルプ表示端末１の検出に使用する構成の場合は光学センサ２９は不要である。
【００９２】
図９はインクジェットプリンタ２６にヘルプ表示端末１を接続した状態を示す。図９のような位置に取り付けられるため、記録用紙のセット、各種キー操作、カバー２７の開閉の妨げにならない。
【００９３】
ヘルプ表示端末１はその背面、もしくはインクジェットプリンタ２６に備えられた不図示の支持手段によりコネクタ部分に負荷がかからないように固定されるためユーザーは手で支えなくても操作できるようになっている。
【００９４】
ヘルプ表示端末１を接続してからインクジェットプリンタ２６のメモリーに格納されている各種情報が送られてヘルプ表示端末１の画面１ａに表示されるまで複写機に接続したときと同じ流れである。
【００９５】
初期画面は図４と同じである。
【００９６】
各アイコンからの情報の検索方法、プレビューの操作方法等は複写機に接続した場合と同様なので詳細は省略する。
【００９７】
一例としてインクジェットプリンタ２６のインク吐出口を清掃する回復処理方法を検索して操作する方法を説明する。「マニュアル」アイコン１１、「操作ガイド・ヘルプ」アイコン１２いずれかから回復処理方法について検索するとその画面には操作方法の説明とともに各種アイコンが表示される。吐出口からインクを吸引させたい場合「吸引回復」のアイコンを選択するとインクジェットプリンタの吸引ポンプによってインクを吸引し吐出口周辺の状態をきれいにできる。
【００９８】
インクジェットプリンタ２６の多くは液晶表示パネルを持たず、接続されたコンピュータと双方向通信を行なうことによりこういった操作をコンピュータから行なうことが一般的になっている。これに対し本発明ではヘルプ表示端末１からの操作が可能なのでコンピュータの電源がオフになっているときにインクジェットプリンタ２６の操作方法が分からなくてもヘルプ表示端末１を接続して、すぐに調べて操作することが可能になる。
【００９９】
またインクジェットプリンタ２６がコンピュータと離れたところに置かれている場合に、インクカートリッジを交換するときはコンピュータで交換方法を調べてからインクジェットプリンタ２６が置いてあるところに行って作業をしなければならなかった。ヘルプ表示端末１をインクジェットプリンタ２６に接続して検索すればインクカートリッジ交換方法の情報を見ながら作業を行なうことができ、インクジェットプリンタ２６とコンピュータの間を行ったり来たりしなくて済む。
【０１００】
図１０はヘルプ表示端末１をデジタルカメラ３０に接続した状態を示す。３１は撮影時の被写体を確認したり撮影した画像を確認するための液晶パネル、３２はシャッターボタン、３３は各種操作キー、３４はファインダーである。点線部分３５で信号送受信部として具えられた不図示のコネクタにより接続され、デジタルカメラ３０側に具えられた不図示のマイクロスイッチがヘルプ表示端末の凸部５（図１参照）に押下されてヘルプ表示端末１が接続されたことを認識する。
【０１０１】
ヘルプ表示端末１は図１０のようにシャッターボタン３２を避けたところに接続されて、その表示面１ａは液晶パネル３１側を向いているのでヘルプ表示端末１を操作しながら撮影したり、撮影した画像を再生することが可能な構成となっている。
【０１０２】
ヘルプ表示端末１をデジタルカメラ３０に接続した場合、デジタルカメラ３０が電池で駆動されているときは電源切り換え信号はヘルプ表示端末１に送信せずメモリーに格納されている各種情報を送信し、ヘルプ表示端末１自身の電源による駆動が維持される。
【０１０３】
デジタルカメラ３０がＡＣアダプタで駆動されているときは電源切り換え信号がヘルプ表示端末１に送信されて、ヘルプ表示端末１で受信すると制御部を介し電源切り換え手段によりデジタルカメラ３０側の電源（ＡＣアダプタ）に切り換えてヘルプ表示端末１の表示を行なう。
【０１０４】
こうした電源切り換え方式により比較的大型のＡＣ電源の製品から小型の電池駆動の製品まで１つのヘルプ表示端末で対応できる。
【０１０５】
ヘルプ表示端末１を接続してからデジタルカメラ３０のメモリーに格納されている各種情報が送られて画面１ａに表示されるまで複写機、インクジェットプリンタに接続したときと同じ流れである（電源駆動の場合に電源を切り換えないことを除く）。
【０１０６】
初期画面は図４と同じである。
【０１０７】
各アイコンからの情報の検索方法、プレビューの操作方法等は複写機、インクジェットプリンタに接続した場合と同様なので詳細は省略する。
【０１０８】
一例として撮影時の解像度変更について検索して設定する方法を説明する。
【０１０９】
「マニュアル」「操作ガイド・ヘルプ」いずれかのアイコンから解像度の変更について検索するとその画面には操作方法の説明とともに「解像度変更」のアイコンが表示される。ユーザーがそのアイコンに触れると次に図１１のように「２，２７２×１，７０４」、「１，６００×１，２００」、「１，０２４×７６８」、「６４０×４８０」といったアイコンが表示される。
【０１１０】
「１，６００×１，２００」が他の３つより暗く表示（図中網点）されているのは、現在設定されていることを示している。残り３つのアイコンのうち設定したいところを触れると、デジタルカメラの制御部分に信号を伝達可能に構成されており設定が変更される。
【０１１１】
デジタルカメラ３０は液晶パネル３１を具えるものが多く、この画面を見ながら機能設定等をできるが、多くのものは表示エリアのサイズが小さいため表示される文字、記号等も小さく特にお年寄りには操作しにくいものとなっていた。ヘルプ表示端末１は表示面が充分に大きいため見やすく誤操作を防ぐことができる。
【０１１２】
製品もしくはヘルプ表示端末のいずれかの制御部（図１３のＢ１３もしくはＢ８）に、単語ではなく文章全体の内容を認識する手段を具え、ヘルプ表示端末にペン入力された文章の内容を検索可能に構成しても良い。コンピュータ等のキーワード検索では入力した言葉に対して完全に一致するものがない場合、近いと思われるものが検索結果として表示されるが必ずしも目的とするものを得られなかったり、最悪の場合結果を得られない場合もある。また完全に一致するものがない場合、検索結果が複数表示されることが多いが、その中からさらに目的とするものを選んでじょじょに下の階層へ進まなければならなかった。
【０１１３】
本発明では文章全体の内容を認識する手段を具えているので、ユーザーが製品に関する用語を知らない場合もユーザー自身の言い回し、表現で疑問点、やりたいことを入力すればその内容が理解され目的とする情報をダイレクトに得ることができる。
【０１１４】
タッチパネル（Ｂ１）から入力された文章は入力検出部（Ｂ２）を介して制御部（Ｂ８）に送られる。制御部（Ｂ８）で文章の内容を認識してから送信部（Ｂ５）、製品の受信部（Ｂ１１）を経由して制御部（Ｂ１３）に送る構成でも良いし、制御部（Ｂ８）から文章のデータをそのまま送信して製品の制御部（Ｂ１３）で文章の内容を認識する構成でも良い。認識された文章に適合する情報をメモリー（Ｂ９）から検索してその結果が送信部（Ｂ１０）、受信部（Ｂ４）、制御部（Ｂ８）を経由してヘルプ表示端末の画面上に表示される。
【０１１５】
多数の検索結果が表示されることがないのでユーザーは短時間で検索結果を得ることができ、迷わず操作にうつることができる。また、通常あまり使われない機能を検索する場合、情報がかなり下の階層に格納されていることがあり検索に手間取ることがあったが、そういったことがなくなり、製品の機能をフルに引き出してもらうことが可能となる。
【０１１６】
文章の入力例としては「片面原稿を両面にコピー手差し用紙」と入力すると画面には図１４のような情報が表示される。「コピー」アイコン３６を触れるとアイコン３８内に表示されている条件でコピーが開始される。「プレビュー」アイコン３７を触れると先に述べた通り、操作に関する動画が表示される。アイコン３８内の条件を変更したいときはアイコン３８を触れると変更可能な画面に移る。
【０１１７】
図４の「操作ガイド・ヘルプ」アイコン１２からたどっていくと図１４に到達するには数画面経由する必要があるが、文章を入力することにより直接図１４を表示できる構成となっている。あらかじめやりたいことが分かっている場合は文章を入力することにより短時間で正確な情報を得ることが可能となる。
【０１１８】
以上はヘルプ表示端末を複写機、インクジェットプリンタ、デジタルカメラに接続した例であるが、その他にもファクシミリやレーザービームプリンタ、オーディオ製品、家電製品も図１３のように構成されている製品であれば接続可能である。
【実施例２】
【０１１９】
第一実施例ではあらかじめ製品の電源の種類によってヘルプ表示端末１を自身の電源で駆動するか、製品側から電源を得て駆動するか決めていたが、電池駆動の製品と接続されたときには電池の残量に応じてどちらの電源で駆動するかを判断しても良い。
【０１２０】
電池駆動する製品に接続すると製品の送信部（図１３のＢ１０）からヘルプ表示端末の受信部（Ｂ４）に信号が送信される。この信号は電池の残量がある程度以上のときは製品側でヘルプ表示端末を駆動可能と判断して送信した電源切り換え信号であり、電池の残量がある程度以下のときはヘルプ表示端末を製品の電池で駆動するのは不可能と判断して送信を開始したメモリーに格納された各種情報である。
【０１２１】
また、接続時に電池の残量がある程度以上あって、電源切り換え信号を送信して電源を製品の電池に切り換えてヘルプ表示端末を駆動している間も、電池残量がある程度以下になったときには、再度製品から電源切り換え手段を送信して製品の電池からヘルプ表示端末の電源に切り換える構成になっている。
【０１２２】
電池駆動の製品にＡＣアダプタが接続されて駆動されている場合は製品の電池残量に関わらず、ヘルプ表示端末に電源切り換え信号を送信する構成になっている。
【実施例３】
【０１２３】
上記実施例ではヘルプ表示端末と各製品を雌雄のピンを具えたコネクタで直接接続していたが、当然ケーブルを介して接続しても良い。図１５に例を示す。３９はケーブルでありその先にはコネクタ４、凸部５、電源スイッチ６が形成された接続部４０が取り付けられている。
【０１２４】
また信号の送受信を光や電波等の無線を用いて行なっても良い。
【０１２５】
例えば、ヘルプ表示端末と製品の相互に発光部、受光部を具え、赤外線等により双方向通信を可能にする構成である。
【図面の簡単な説明】
【０１２６】
【図１】ヘルプ表示端末１の外観を示す図である。
【図２】ヘルプ表示端末１を複写機７に接続する前の状態を示す図である。
【図３】ヘルプ表示端末１を複写機７に接続した状態を示す図である。
【図４】初期画面を示す図である。
【図５】マニュアル表示画面を示す図である。
【図６】検索結果表示画面を示す図である。
【図７】履歴一覧表示画面を示す図である。
【図８】インクジェットプリンタ２６の斜視図である。
【図９】ヘルプ表示端末１をインクジェットプリンタ２６に接続した状態を示す  図である。
【図１０】ヘルプ表示端末１をデジタルカメラ３０に接続した状態を示す図である。
【図１１】解像度変更画面を示す図である・
【図１２】ヘルプ表示端末１を製品に接続した後のフローチャートである。
【図１３】ヘルプ表示端末１および製品のブロック図である。
【図１４】コピー画面を表す図である。
【図１５】ヘルプ表示端末と接続部を表す図である。
【符号の説明】
【０１２７】
１  ヘルプ表示端末
２  スタイラス
７  複写機
２６  インクジェットプリンタ
３０  デジタルカメラ
９、２８  コネクタ
１０、２９  光学センサ
【図１】
2005115462.tif 000003
【図２】
2005115462.tif 000004
【図３】
2005115462.tif 000005
【図４】
2005115462.tif 000006
【図５】
2005115462.tif 000007
【図６】
2005115462.tif 000008
【図７】
2005115462.tif 000009
【図８】
2005115462.tif 000010
【図９】
2005115462.tif 000011
【図１０】
2005115462.tif 000012
【図１１】
2005115462.tif 000013
【図１２】
2005115462.tif 000014
【図１３】
2005115462.tif 000015
【図１４】
2005115462.tif 000016
【図１５】
2005115462.tif 000017